(57)【要約】【課題】  表示デバイスへの電力供給をタイマ監視によって制御するような構成を備えた表示装置を提供する。【解決手段】  表示装置は、表示デバイスへ電力の供給を停止したと同時にカウントを開始するタイマと、タイマが所定時間までカウントすると表示デバイスへ電力の供給を行い、表示デバイスが供給された表示データを表示した後に表示デバイスへ電力の供給を停止するよう制御する電源制御手段と、表示デバイスへ電力が供給されている状態で表示デバイスへ所定の表示データの供給を行なうよう制御する表示制御手段と、を有する。【選択図】  図１
2009300591.tif 000002
【特許請求の範囲】
【請求項１】
電力の供給を停止された後も供給された表示データの表示状態を所定期間中維持することが可能な表示デバイスを備えた表示装置であって、
前記表示デバイスへ電力の供給を停止したと同時にカウントを開始するタイマと、
前記タイマが所定時間までカウントすると前記表示デバイスへ電力の供給を行い、前記表示デバイスが供給された表示データを表示した後に前記表示デバイスへ電力の供給を停止するよう制御する電源制御手段と、
前記表示デバイスへ電力が供給されている状態で前記表示デバイスへ所定の表示データの供給を行なうよう制御する表示制御手段と、
を有することを特徴とする表示装置。
【請求項２】
前記タイマがカウントする所定時間は、前記表示デバイスが電力の供給を停止された後も表示状態を維持することが可能な所定期間であることを特徴とする請求項１に記載の表示装置。
【請求項３】
複数ページから構成された表示データを記憶する表示データ記憶手段と、
前記表示デバイスにページ単位に表示された表示データのユーザによる閲覧の有無を示すフラグを記憶する閲覧フラグ記憶手段と、を備え、
前記表示制御手段は、前記閲覧フラグ記憶手段に記憶されたフラグに基づいて、前記表示データ記憶手段に記憶された表示データのうち前記フラグが未閲覧を示すページの表示データを前記表示デバイスへ供給することを特徴とする請求項１または請求項２に記載の表示装置。
【請求項４】
前記表示デバイスは、見開き可能なようにブック型に綴じられた複数の薄型ディスプレイからなり、
前記電源制御手段は、見開き状態のディスプレイがすべて閉じられると前記表示デバイスへ電力の供給を停止し、
前記表示制御手段は、前記複数の薄型ディスプレイのうち見開き状態のディスプレイへ表示データの供給を行なうことを特徴とする請求項１または２に記載の表示装置。
【請求項５】
複数ページから構成された表示データを記憶する表示データ記憶手段と、
前記各薄型のディスプレイにページ単位に供給される表示データの見開き状態のディスプレイへの表示の有無を示すフラグを記憶する表示フラグ記憶手段と、を備え、
前記表示制御手段は、前記表示フラグ記憶手段に記憶されたフラグに基づいて、前記表示データ記憶手段に記憶された表示データのうち前記フラグが見開き状態のディスプレイへの未表示を示すページの表示データを前記見開き状態のディスプレイへ供給することを特徴とする請求項４に記載の表示装置。
【請求項６】
電力の供給を停止された後も供給された表示データの表示状態を所定期間中維持することが可能な表示デバイスを備えた表示装置の表示制御方法であって、
前記表示デバイスへ電力の供給を停止したと同時にカウントを開始するタイマが所定時間までカウントすると前記表示デバイスへ電力の供給を行なう電力供給ステップと、
前記表示デバイスへ電力が供給されている状態で前記表示デバイスへ所定の表示データの供給を行なう表示データ供給ステップと、
前記表示デバイスが供給された表示データを表示した後に前記表示デバイスへ電力の供給を停止する電力供給停止ステップと、
を含むことを特徴とする表示制御方法。
【請求項７】
前記タイマがカウントする所定時間は、前記表示デバイスが電力の供給を停止された後も表示状態を維持することが可能な所定期間であることを特徴とする請求項６に記載の表示制御方法。
【請求項８】
前記表示データ供給ステップは、前記表示デバイスにページ単位に表示された表示データのユーザによる閲覧の有無を示すフラグを記憶する閲覧フラグ記憶手段に記憶されたフラグに基づいて、複数ページから構成された表示データを記憶する表示データ記憶手段に記憶された表示データのうち前記フラグが未閲覧を示すページの表示データを前記表示デバイスへ供給することを特徴とする請求項６または請求項７に記載の表示制御方法。
【請求項９】
前記表示デバイスは、見開き可能なようにブック型に綴じられた複数の薄型ディスプレイからなり、
前記表示データ供給ステップは、前記複数の薄型ディスプレイのうち見開き状態のディスプレイへ表示データの供給を行ない、
前記電力供給停止ステップは、見開き状態のディスプレイがすべて閉じられると前記表示デバイスへ電力の供給を停止することを特徴とする請求項６または７に記載の表示制御方法。
【請求項１０】
前記表示データ供給ステップは、前記各薄型のディスプレイにページ単位に供給される表示データの見開き状態のディスプレイへの表示の有無を示すフラグを記憶する表示フラグ記憶手段に記憶されたフラグに基づいて、複数ページから構成された表示データを記憶する表示データ記憶手段に記憶された表示データのうち前記フラグが見開き状態のディスプレイへの未表示を示すページの表示データを前記見開き状態のディスプレイへ供給することを特徴とする請求項９に記載の表示制御方法。
【発明の詳細な説明】
【技術分野】
【０００１】
本発明は、表示装置およびその表示制御方法に関するものであり、特に、電子ペーパーなどの薄型ディスプレイを用いた表示装置およびその表示制御方法に関するものである。
【背景技術】
【０００２】
近年、紙のような感覚で利用できる薄型のディスプレイである電子ペーパーの実用化が進められている。電子ペーパーは、表示データの書き換え時に電力が必要なだけで表示中は電力を必要とせずに半永久的に表示を維持することができる。このため、この電子ペーパーを用いた製品として、例えば、電子ブックや広告パネルなどの様々な形態の表示装置が提案されている。
【０００３】
このような電子ペーパーに関する従来例としては、例えば、下記の特許文献１（特開２００５−３２１７３９号公報）に記載されている。この特許文献１に記載されているブック型表示記録媒体は、同一構造を有する複数枚の表示記録媒体としての電子ペーパーと、これらの電子ペーパーを本のように綴じ代部分を見開き可能に連結するジョイント部とを備え、見開き状態のとき、２つの電子ペーパーのそれぞれの表示面がユーザの視野に入るように構成されている。
【０００４】
また、下記の特許文献２（特開２００４−２１９７４６号公報）には、表示すべき情報の記録、消去または書き換えを迅速に行なうことができ、低消費電力で駆動可能であり、また、いったん形成した記録を、例えば節電のために通電を停止した後でも維持できる情報記録表示素子およびそれを用いた情報記録表示装置が記載されている。
【０００５】
この情報記録表示素子は、少なくとも一方が透明な２つの電極間に８−ヒドロキシキノリン銅（ＩＩ）錯体及びｐ−クォーターフェノールを含む有機発色層とキャリヤー輸送剤としてクマリンを含むキャリヤー輸送層を有し、２つの電極間に電圧を印加することにより有機発色層を着色状態にすることができ、２つの電極間の電圧を除去した後でも有機発色層が着色状態を維持することができ、有機発色層の着色の際に印加した電圧の極性と反対の極性の電圧を有機発色層に印加することにより有機発色層が着色状態から無色状態に変化するように構成されている。
【特許文献１】特開２００５−３２１７３９号公報（段落［００１６］、図１）
【特許文献２】特開２００４−２１９７４６号公報（段落［０００４］、段落［０００５］）
【発明の開示】
【発明が解決しようとする課題】
【０００６】
ところで、電子ペーパー（情報記録表示素子）への電力供給が一旦停止されると、永久的に表示が継続するものではないので、ユーザが表示情報を閲覧している途中で表示が中断されてしまう可能性がある。このため、閲覧を中断されることなく表示を継続するためには表示状態が中断するタイミングを見計らって再度電力を供給する必要がある。
【０００７】
しかしながら、ユーザがタイミングを見計らって電力の供給を指示するのは煩わしい作業であり、また節電のために表示素子の特性を考慮してなるべく電力供給の頻度を少なくして効率的に電力の供給を行なうのは難しい状況にあるという問題点がある。
【０００８】
本願の発明者は上記の問題点を解消すべく種々検討を重ねた結果、表示デバイスへ電力の供給を停止したと同時にカウントを開始するタイマを設け、このタイマが所定時間までカウントすると再び表示デバイスへ電力の供給を行なうようになせば、上記の問題点を解消し得ることを想到し本発明を完成するに至ったものである。
【０００９】
すなわち、本発明は、上記の問題点を解消することを課題とし、表示デバイスへの電力供給をタイマ監視によって制御するような構成を備えた表示装置を提供することを目的とするものである。
【課題を解決するための手段】
【００１０】
前記課題を解決するために、本願の請求項１にかかる発明は、電力の供給を停止された後も供給された表示データの表示状態を所定期間中維持することが可能な表示デバイス（例えば下記実施例では、表示部１１に相当する）を備えた表示装置であって、前記表示デバイスへ電力の供給を停止したと同時にカウントを開始するタイマ（例えば下記実施例では、制御部１５に相当する）と、前記タイマが所定時間までカウントすると前記表示デバイスへ電力の供給を行い、前記表示デバイスが供給された表示データを表示した後に前記表示デバイスへ電力の供給を停止するよう制御する電源制御手段（例えば下記実施例では、電源制御部１４に相当する）と、前記表示デバイスへ電力が供給されている状態で前記表示デバイスへ所定の表示データの供給を行なうよう制御する表示制御手段（例えば下記実施例では、表示制御部１３に相当する）と、を有することを特徴とする。
【００１１】
また、本願の請求項２にかかる発明は、請求項１にかかる表示装置において、前記タイマがカウントする所定時間は、前記表示デバイスが電力の供給を停止された後も表示状態を維持することが可能な所定期間であることを特徴とする。
【００１２】
また、本願の請求項３にかかる発明は、請求項１または請求項２にかかる表示装置において、複数ページから構成された表示データを記憶する表示データ記憶手段（例えば下記実施例では、記憶部１２に相当する）と、前記表示デバイスにページ単位に表示された表示データのユーザによる閲覧の有無を示すフラグを記憶する閲覧フラグ記憶手段（例えば下記実施例では、記憶部１２に相当する）と、を備え、前記表示制御手段は、前記閲覧フラグ記憶手段に記憶されたフラグに基づいて、前記表示データ記憶手段に記憶された表示データのうち前記フラグが未閲覧を示すページの表示データを前記表示デバイスへ供給することを特徴とする。
【００１３】
また、本願の請求項４にかかる発明は、請求項１または請求項２にかかる表示装置において、前記表示デバイスは、見開き可能なようにブック型に綴じられた複数の薄型ディスプレイからなり、前記電源制御手段は、見開き状態のディスプレイがすべて閉じられると前記表示デバイスへ電力の供給を停止し、前記表示制御手段は、前記複数の薄型ディスプレイのうち見開き状態のディスプレイへ表示データの供給を行なうことを特徴とする。
【００１４】
また、本願の請求項５にかかる発明は、請求項４にかかる表示装置において、複数ページから構成された表示データを記憶する表示データ記憶手段（例えば下記実施例では、記憶部１２に相当する）と、前記各薄型のディスプレイにページ単位に供給される表示データの見開き状態のディスプレイへの表示の有無を示すフラグを記憶する表示フラグ記憶手段（例えば下記実施例では、記憶部１２に相当する）と、を備え、前記表示制御手段は、前記表示フラグ記憶手段に記憶されたフラグに基づいて、前記表示データ記憶手段に記憶された表示データのうち前記フラグが見開き状態のディスプレイへの未表示を示すページの表示データを前記見開き状態のディスプレイへ供給することを特徴とする。
【００１５】
また、本願の請求項６にかかる発明は、電力の供給を停止された後も供給された表示データの表示状態を所定期間中維持することが可能な表示デバイスを備えた表示装置の表示制御方法であって、前記表示デバイスへ電力の供給を停止したと同時にカウントを開始するタイマが所定時間までカウントすると前記表示デバイスへ電力の供給を行なう電力供給ステップと、前記表示デバイスへ電力が供給されている状態で前記表示デバイスへ所定の表示データの供給を行なう表示データ供給ステップと、前記表示デバイスが供給された表示データを表示した後に前記表示デバイスへ電力の供給を停止する電力供給停止ステップと、を含むことを特徴とする。
【００１６】
また、本願の請求項７にかかる発明は、請求項６にかかる表示制御方法において、前記タイマがカウントする所定時間は、前記表示デバイスが電力の供給を停止された後も表示状態を維持することが可能な所定期間であることを特徴とする。
【００１７】
また、本願の請求項８にかかる発明は、請求項６または請求項７にかかる表示制御方法において、前記表示データ供給ステップは、前記表示デバイスにページ単位に表示された表示データのユーザによる閲覧の有無を示すフラグを記憶する閲覧フラグ記憶手段に記憶されたフラグに基づいて、複数ページから構成された表示データを記憶する表示データ記憶手段に記憶された表示データのうち前記フラグが未閲覧を示すページの表示データを前記表示デバイスへ供給することを特徴とする。
【００１８】
また、本願の請求項９にかかる発明は、請求項６または請求項７にかかる表示制御方法において、前記表示デバイスは、見開き可能なようにブック型に綴じられた複数の薄型ディスプレイからなり、前記表示データ供給ステップは、前記複数の薄型ディスプレイのうち見開き状態のディスプレイへ表示データの供給を行ない、前記電力供給停止ステップは、見開き状態のディスプレイがすべて閉じられると前記表示デバイスへ電力の供給を停止することを特徴とする。
【００１９】
また、本願の請求項１０にかかる発明は、請求項９にかかる表示制御方法において、前記表示データ供給ステップは、前記各薄型のディスプレイにページ単位に供給される表示データの見開き状態のディスプレイへの表示の有無を示すフラグを記憶する表示フラグ記憶手段に記憶されたフラグに基づいて、複数ページから構成された表示データを記憶する表示データ記憶手段に記憶された表示データのうち前記フラグが見開き状態のディスプレイへの未表示を示すページの表示データを前記見開き状態のディスプレイへ供給することを特徴とする。
【発明の効果】
【００２０】
請求項１または請求項６にかかる発明においては、表示装置は、表示デバイスへ電力の供給を停止したと同時にカウントを開始するタイマが所定時間までカウントすると前記表示デバイスへ電力の供給を行ない、前記表示デバイスへ電力が供給されている状態で前記表示デバイスへ所定の表示データの供給を行ない、前記表示デバイスが供給された表示データを表示した後に前記表示デバイスへ電力の供給を停止する。
【００２１】
このような構成によれば、タイマのカウントに基づいて表示デバイスへの電力供給が自動的に制御され、表示デバイスの表示状態が継続されるため、ユーザは中断することなく表示データを閲覧することができるので、ユーザにとっての利便性が向上する。
【００２２】
また、請求項２または請求項７にかかる発明のおいては、請求項１にかかる表示装置または請求項６にかかる表示制御方法において、前記タイマがカウントする所定時間は、前記表示デバイスが電力の供給を停止された後も表示状態を維持することが可能な所定期間とする。
【００２３】
このような構成によれば、タイマのカウントに基づいて表示デバイスへの電力供給が自動的に制御され、表示デバイスの表示状態が継続されるため、ユーザは中断することなく表示データを閲覧することができるので、ユーザにとっての利便性が向上する。また、電力供給の頻度を極力少なくして効率的に電力の供給を行なうことができるため、環境にも配慮した省エネルギー対応の表示装置を提供することが可能である。
【００２４】
また、請求項３または請求項８にかかる発明のおいては、請求項１または請求項２にかかる表示装置あるいは請求項６または請求項７にかかる表示制御方法において、前記表示デバイスにページ単位に表示された表示データのユーザによる閲覧の有無を示すフラグを記憶する閲覧フラグ記憶手段に記憶されたフラグに基づいて、複数ページから構成された表示データを記憶する表示データ記憶手段に記憶された表示データのうち前記フラグが未閲覧を示すページの表示データを前記表示デバイスへ供給するものとする。
【００２５】
このような構成によれば、フラグの情報に基づいて表示デバイスへ表示データが自動的に供給されるため、ユーザは未だ閲覧していない表示データを効率良く閲覧することができるので、ユーザにとっての利便性が向上する。
【００２６】
また、請求項４または請求項９にかかる発明のおいては、請求項１または請求項２にかかる表示装置あるいは請求項６または請求項７にかかる表示制御方法において、前記表示デバイスは、見開き可能なようにブック型に綴じられた複数の薄型ディスプレイからなり、  前記複数の薄型ディスプレイのうち見開き状態のディスプレイへ表示データの供給を行ない、見開き状態のディスプレイがすべて閉じられると前記表示デバイスへ電力の供給を停止するものとする。
【００２７】
このような構成によれば、タイマのカウントに基づいて表示デバイスへの電力供給が自動的に制御され、表示デバイスの表示状態が継続されるため、ユーザは中断することなく表示データを閲覧することができるので、ユーザにとっての利便性が向上する。また、電力供給の頻度を極力少なくして効率的に電力の供給を行なうことができるため、環境にも配慮した省エネルギー対応の表示装置を提供することが可能である。
【００２８】
また、請求項５または請求項１０にかかる発明のおいては、請求項４にかかる表示装置または請求項９にかかる表示制御方法において、前記各薄型のディスプレイにページ単位に供給される表示データの見開き状態のディスプレイへの表示の有無を示すフラグを記憶する表示フラグ記憶手段に記憶されたフラグに基づいて、複数ページから構成された表示データを記憶する表示データ記憶手段に記憶された表示データのうち前記フラグが見開き状態のディスプレイへの未表示を示すページの表示データを前記見開き状態のディスプレイへ供給するものとする。
【００２９】
このような構成によれば、フラグの情報に基づいて表示デバイスへ表示データが自動的に供給されるため、ユーザは未だ閲覧していない表示データを効率良く閲覧することができるので、ユーザにとっての利便性が向上する。
【発明を実施するための最良の形態】
【００３０】
以下、本発明の具体例を実施例及び図面を用いて詳細に説明する。但し、以下に示す実施例は、本発明の技術思想を具体化するための電子ブック装置を例示するものであって、本発明をこの電子ブック装置に特定することを意図するものではなく、特許請求の範囲に含まれるその他の実施形態の表示装置にも等しく適用し得るものである。
【実施例１】
【００３１】
図１は、本発明の実施例１にかかる電子ブック装置の構成を示すブロック図であり、図２は、本発明の実施例１にかかる電子ブック装置の一例を示す斜視図である。電子ブック装置１０は、複数の表示パネル＃１〜＃ｎ（１１−１，１１−２，・・・，１１−ｎ）からなる表示部１１、記憶部１２、表示制御部１３、電源制御部１４、制御部１５などを備えて構成されている。
【００３２】
なお、表示部１１は本発明の表示デバイスに相当し、記憶部１２は本発明の表示データ記憶手段、閲覧フラグ記憶手段およびに表示フラグ記憶手段に相当し、表示制御部１３は本発明の表示制御手段に相当し、電源制御部１４は本発明の電源制御手段に相当し、制御部１５は本発明のタイマに相当する。
【００３３】
表示部１１は、図２に示すように、例えば電子ペーパーなどの薄型ディスプレイからなる表示パネルを見開き可能なようにブック型に複数綴じた構成の表示デバイスであり、後述するように、表示制御部１３の制御により、記憶部１２に記憶されている表示データを表示する。表示部１１を構成する表示パネル＃１〜＃ｎは、電力が供給されると記憶部１２から供給された表示データを表示可能な状態になり、その後電力の供給を停止された後も所定期間中であれば供給された表示データの表示状態を維持することができる特性を有している。
【００３４】
記憶部１２は、表示データが保存される表示データ記憶領域、この表示データ記憶領域に保存された表示データの内から表示部１１の見開かれた表示パネルに表示された表示データを識別するためのフラグが保存されるフラグ記憶領域、タイマによってカウントされる所定時間が保存されるタイマ記憶領域などからなるフラッシュメモリなどの読み書き可能な不揮発性メモリで構成されている。
【００３５】
表示データ記憶領域に保存される表示データは、表示部１１を構成する表示パネル＃１〜＃ｎにそれぞれ表示されるように複数ページから構成されている。表示データは、ネットワークを介して所定のサーバからダウンロードすることによって得てもよいし、メモリカードなどの可搬型記憶媒体からコピーすることによって得てもよい。
【００３６】
また、フラグ記憶領域に保存されるフラグは、見開き状態にある表示パネルに表示された表示データに対してページ単位にフラグがオン状態になり、見開き状態にある表示パネルに表示された表示データがユーザによって閲覧されたことを表示している。
【００３７】
なお、見開き状態にある表示パネルを識別するためには、例えば図２示すように、ユーザの指などが触れたことを検知する接触センサや周囲の明るさを検知する光センサなどの表示パネルが見開き状態にあることを検知する各種センサ１７ａ〜１７ｄを各表示パネル１１−１，１１−２の端部に設ければよい。
【００３８】
表示制御部１３は、記憶部１２に記憶されているフラグに基づいて、記憶部１２に記憶されている表示データの中から所定の表示データを表示部１１の各表示パネル＃１〜＃ｎへ供給するように制御する。すなわち、表示制御部１３は、記憶部１２に記憶されている表示データの内からフラグがオフ状態になっている表示データで先頭ページに該当する表示データ（初期値は第１ページの表示データ）を表示パネル＃１〜＃ｎの内から見開き状態にある表示パネルへ供給する。
【００３９】
これによって、ユーザが電子ブック装置１０のページ（表示パネル＃１〜＃ｎ）を開くと、見開き状態の表示パネルには、これまでに見開き状態にある表示パネルに表示されていない（すなわち、ユーザが閲覧していない）表示データが表示されることになる。
【００４０】
電源制御部１４は、制御部１５からの指示に応じて表示部１１の各表示パネル＃１〜＃ｎへ電力を供給するように制御する。電源制御部１４は、後述するように、制御部１５のタイマ機能が所定時間までカウントすると、表示部１１に対して電力の供給を行ない、また、見開かれた状態の表示パネルが表示データを表示した後に表示部１１の全ての表示パネル＃１〜＃ｎが閉じられた状態にあることが検知されると、各表示パネル＃１〜＃ｎへの電力供給を停止するように制御する。
【００４１】
なお、供給される電力は、電源コード（図示せず）を介して外部電源から得るようにしてもよく、あるいは電子ブック装置１０内に設けた充電地（図示せず）などから得るようにしてもよい。
【００４２】
制御部１５は、マイクロプロセッサを主たる構成要素とし、一般的なコンピュータ装置と同様に、図示していないＲＯＭ、ＲＡＭを備えており、ＲＯＭに格納されているシステムプログラムに基づき各部動作を制御する。また、ＲＡＭには、プログラム実行中に一時的に保持する必要の生じたデータが保存される。
【００４３】
また、本実施例の制御部１５はタイマ機能を備えており、電源制御部１４が表示部１１へ電力の供給を停止すると、それと同時にカウントを開始する。そして、所定時間までカウントすると、表示部１１に対して電力の供給を行なうように電源制御部１４に対して制御信号を出力する。
【００４４】
ここで、カウントされる所定時間は、表示部１１の各表示パネル＃１〜＃ｎが電力の供給を停止された後も表示状態を維持することが可能な所定期間あるいはそれよりも短い期間であることが好ましい。このように、電力の供給無しに表示パネルが表示状態を維持できる期間よりも短いタイミングで各表示パネルに対して再び電力を供給するので、表示状態が中断されることを回避することができる。なお、この所定時間は記憶部１２内の所定の記憶領域（タイマ記憶領域）に予め記憶される。
【００４５】
また、制御部１５は、ユーザが電子ブック装置１０のページ（表示パネル＃１〜＃ｎ）を閉じると、センサ１７ａ〜１７ｄなどによって全ての表示パネル＃１〜＃ｎが閉じられた状態にあることが検知されるので、表示部１１に対する電力の供給を停止するように電源制御部１４に対して制御信号を出力する。
【００４６】
さらに、制御部１５は、ユーザが電子ブック装置１０のページ（表示パネル＃１〜＃ｎ）を開いたり、新たにページをめくったりすると、センサ１７ａ〜１７ｄなどによって表示パネル＃１〜＃ｎのいずれかが見開き状態にあることが検知されるので、見開き状態にある表示パネルに対する表示データの供給を行なうように表示制御部１３に対して制御信号を出力する。
【００４７】
図２に示すように、電子ブック装置１０は、複数の表示パネル＃１〜＃ｎ（１１−１，１１−２，・・・，１１−ｎ）が見開き可能なように連結部１６によってブック型に綴じられており、連結部１６には、記憶部１２、表示制御部１３、電源制御部１４および制御部１５がそれぞれ配設されている。
【００４８】
また、各表示パネルの端部（本実施例では見開き状態の２つのパネルの四隅）に接触センサや光センサなどの各種センサ１７ａ〜１７ｄが設けられており、見開き状態にある表示パネルを識別できるような構成になっている。
【００４９】
次に、本実施例にかかる電子ブック装置の表示制御法について説明する。
【００５０】
図３は、実施例１にかかる電子ブック装置の動作を示すフローチャートである。なお、図３に示す処理は制御部１５がＲＯＭに記憶されている制御プログラムを実行することで実現される。
【００５１】
まずステップＳ３０１において、ユーザが電子ブック装置１０に対して電源オンの指示を行うと、制御部１５は電源制御部１４を制御することによって、表示部１１の各表示パネル＃１〜＃ｎへ電力が供給される。
【００５２】
そして、ステップＳ３０２において、制御部１５は、センサ１７ａ〜１７ｄの検知結果に基づいて、ユーザが電子ブック装置１０のページ（表示パネル＃１〜＃ｎ）を開いたか否かを判定し、ページが開かれたことが検出された場合にはステップＳ３０３の処理に進む。
【００５３】
ステップＳ３０３の処理では、制御部１５は表示制御部１３を制御することによって、記憶部１２のフラグ記憶領域に保存されているフラグがチェックされ、記憶部１２に記憶されている表示データの内からフラグがオフ状態になっている表示データで先頭ページに該当する表示データ（初期値は第１ページの表示データ）が抽出され、ステップＳ３０４の処理において、抽出された表示データが表示パネル＃１〜＃ｎの内から見開き状態にある表示パネルへ供給される。
【００５４】
そして、ステップＳ３０５において、見開き状態にある表示パネルは、供給された表示データを表示されると、ステップＳ３０６において、制御部１５は、見開き状態にある表示パネルに表示された表示データに対応するフラグをオン状態に設定してフラグ記憶領域に保存する。
【００５５】
次に、ステップＳ３０７において、制御部１５は、センサ１７ａ〜１７ｄの検知結果に基づいて、ユーザが電子ブック装置１０のページ（表示パネル＃１〜＃ｎ）を閉じたか否かを判定し、ページが閉じられたことが検出された場合にはステップＳ３０８の処理に進み、一方、ページが閉じられたことが検出されない場合にはステップＳ３０２の処理に戻り、新たにページがめくられるまで処理の実行を待機する。
【００５６】
ステップＳ３０８の処理では、制御部１５は電源制御部１４を制御することによって、表示部１１の各表示パネル＃１〜＃ｎへの電力供給が停止され、ステップＳ３０９において、タイマのカウントを開始する。
【００５７】
そして、ステップＳ３１０において、制御部１５は、タイマカウント中にユーザから電子ブック装置１０に対して電源オフの指示があるか否か判定し、電源オフの指示がある場合には処理を終了し、一方、電源オフの指示がない場合にはステップＳ３１１の処理においてタイマが所定時間までカウントするまでステップＳ３１０の処理に戻り、タイマが所定時間までカウントするとステップＳ３０１の処理に戻る。
【００５８】
なお、上記実施例では、表示データを効率的に表示するためのフラグ設定方法として、見開き状態にある表示パネルに表示された表示データに対してページ単位にフラグをオン状態する方法について説明したが、フラグの設定はこれに限ることはなく、例えば、最後に見開き状態にあった表示パネルに表示されていた表示データに対してフラグをオン状態にすることにより、電子ブック装置のページを再び開いた際には、フラグがオン状態にあるページの次のページの表示データから表示するように制御してもよい。
【００５９】
また、上記実施例では、表示装置として複数の表示パネルを有する電子ブック装置を示すものであるが、これに限定されず、表示データをページ単位に順次切り替えて表示することができる一つの表示パネルのみを備えた電子ペーパー端末などのボード型の表示装置であってもよい。
【実施例２】
【００６０】
図２は、本発明の実施例２にかかる電子ブック装置の構成を示すブロック図である。電子ブック装置２０は、一つの表示パネル＃１（１１−１）からなる表示部１１、記憶部１２、表示制御部１３、電源制御部１４、制御部１５などを備えて構成されており、図１の実施例１と同一の構成要素は同一の参照符号を付している。
【００６１】
実施例２にかかる電子ブック装置２０は、表示部１１が一つの表示パネルを備えている点で実施例１にかかる電子ブック装置１０とは異なり、その他の構成については同一のため、実施例１と同様の構成要素については重複する説明を省略する。
【００６２】
図５は、実施例２にかかる電子ブック装置の動作を示すフローチャートである。なお、図５に示す処理は制御部１５がＲＯＭに記憶されている制御プログラムを実行することで実現される。
【００６３】
まずステップＳ５１において、ユーザが電子ブック装置２０に対して電源オンの指示を行うと、制御部１５は電源制御部１４を制御することによって、表示部１１の表示パネル＃１へ電力が供給される。
【００６４】
ステップＳ５２の処理では、制御部１５は表示制御部１３を制御することによって、記憶部１２のフラグ記憶領域に保存されているフラグがチェックされ、記憶部１２に記憶されている表示データの内からフラグがオン状態になっている表示データの次のページの表示データ（オン状態のフラグがない初期状態では第１ページの表示データ）が抽出され、抽出された表示データが表示パネル＃１へ供給される。
【００６５】
そして、ステップＳ５３において、表示パネル＃１は、供給された表示データを表示されると、制御部１５は、この表示された表示データに対応するフラグをオン状態に設定してフラグ記憶領域に保存し、ステップＳ５４において、制御部１５は電源制御部１４を制御することによって、表示部１１の表示パネルへの電力供給が停止され、ステップＳ５５において、タイマのカウントを開始する。
そして、ステップＳ５６において、制御部１５はタイマカウント中にユーザから電子ブック装置１０に対して電源オフの指示があるか否か判定し、電源オフの指示がある場合には処理を終了し、一方、電源オフの指示がない場合には、ステップＳ５７の処理において、制御部１５はユーザから次ページや前ページなどへのページ変更の指示があるか否か判定する。
【００６６】
なお、このページ変更の指示は、表示パネルの周辺部に次ページや前ページなどへの変更を指示するボタンを設けてもよいし、表示パネル＃１にページ変更ためのソフトキーを表示させ、このキー操作をタッチパネル方式の接触センサで検知してもよい。
【００６７】
ステップＳ５７の処理において、ページ変更の指示がある場合には、ステップＳ５１の処理に戻り、再び表示パネル＃１への電力供給を行なって、指定されたページの表示データの供給を行なう。一方、ページ変更の指示がない場合には、ステップＳ５８の処理においてタイマが所定時間までカウントするまでステップＳ５６の処理に戻り、タイマが所定時間までカウントするとステップＳ５１の処理に戻る。
【００６８】
ここで、タイマが所定時間までカウントした後にステップＳ５１に戻った場合には、再び表示パネル＃１への電力供給を行なって、表示パネル＃１へ表示データを供給する際には、直前に表示パネルに表示されていた表示データに対してフラグがオン状態になっているので、フラグがオン状態にあるページの次のページの表示データが供給され、表示されるので、自動的に次ページ繰りがなされていることになる。
【００６９】
以上説明したように、本発明にかかる電子ブック装置によれば、タイマのカウントに基づいて表示デバイスへの電力供給が自動的に制御され、表示デバイスの表示状態が継続されるため、ユーザは中断することなく表示データを閲覧することができるので、ユーザにとっての利便性が向上するとともに、電力供給の頻度を極力少なくして効率的に電力の供給を行なうことができるため、環境にも配慮した省エネルギー対応の表示装置を提供することが可能である。
【００７０】
また、フラグの情報に基づいて表示デバイスへ表示データが自動的に供給されるため、ユーザは未だ閲覧していない表示データを効率良く閲覧することができるので、ユーザにとっての利便性がさらに向上する。
【図面の簡単な説明】
【００７１】
【図１】本発明の実施例１にかかる電子ブック装置の構成を示すブロック図である。
【図２】本発明の実施例１にかかる電子ブック装置の一例を示す斜視図である。
【図３】本発明の実施例１にかかる電子ブック装置の動作を示すフローチャートである。
【図４】本発明の実施例２にかかる電子ブック装置の構成を示すブロック図である
【図５】本発明の実施例２にかかる電子ブック装置の動作を示すフローチャートである。
【符号の説明】
【００７２】
１０，２０・・・・電子ブック装置
１１・・・・表示部
１１−１，１１−２，１１−ｎ・・・・表示パネル
１２・・・・記憶部
１３・・・・表示制御部
１４・・・・電源制御部
１５・・・・制御部
１６・・・・連結部
１７ａ，１７ｂ，１７ｃ，１７ｄ・・・・センサ
【図１】
2009300591.tif 000003
【図２】
2009300591.tif 000004
【図３】
2009300591.tif 000005
【図４】
2009300591.tif 000006
【図５】
2009300591.tif 000007